(57)【要約】【課題】非接触ＩＣを利用した携帯電話の電源ＯＮ・ＯＦＦ制御を、消費電流を極力抑えた状態で自動的に行う。【解決手段】非接触ＩＣ制御部２０３は、非接触ＩＣ２０２がリーダーライター２０６との近距離通信で取得して格納している情報を、タイマー部２０７からの割り込みを受ける毎に読み取り、読み取ったデータの中に、携帯電話機に対する新たな機能制限情報がある場合、ＣＰＵ２０１に割込み信号と機能制限情報を出力し、ＣＰＵ２０１は入力された機能制限情報に従って、各モジュール等周辺部２０５の機能制限の制御を実行する。機能制限情報が携帯電話の電源をＯＦＦに設定する情報である場合には、ＣＰＵ２０１は、各モジュール等周辺部２０５への供給電源をＯＦＦにする制御を実行するとともに、ＣＰＵ２０１自体を割込み信号を受けつける機能を除いて休止状態に遷移させる。【選択図】図２
2007336295.tif 000002
【特許請求の範囲】
【請求項１】
ＣＰＵにより制御される各種機能モジュールと、所定エリアの出入り口に設置されたリーダーライターとの間で近距離通信により入場または退場のための通信を行う非接触ＩＣを備えた携帯無線端末において、
前記非接触ＩＣに定期的にアクセスし、前記非接触ＩＣが前記リーダーライターから受信して格納している情報の中に前記機能モジュールに対する新たな機能制限情報が含まれていることを確認したとき前記ＣＰＵに対して割込み信号及び前記機能制限情報を出力する非接触ＩＣ制御部を備え、前記ＣＰＵは、前記割り込み信号と当該携帯無線端末の電源をＯＦＦに設定する前記機能制限情報を受けたとき、前記各種機能モジュールへの供給電源をＯＦＦに制御した後、自ＣＰＵを前記割込み信号を受けつける機能を除いて休止状態に遷移させる手段と、該休止状態に遷移しているときに前記割り込み信号と当該携帯無線端末の電源ＯＦＦを解除する前記機能制限情報を受けたとき、自ＣＰＵを通常の動作状態に遷移させた後、前記各種機能モジュールへの供給電源をＯＮに制御する手段を有していることを特徴とする携帯無線端末。
【請求項２】
前記ＣＰＵは、前記機能制限情報として機能制限を設定する情報を受けたとき、当該携帯無線端末の現在の前記各種機能モジュールの状態を情報記憶部へ保存する手段と、前記機能制限情報として機能制限を解除する情報を受けたとき、前記情報記憶部を参照して前記各種機能モジュールの状態を前記情報記憶部に保存されている状態に戻す制御を実行する手段を有していることを特徴とする請求項１に記載の携帯無線端末。
【請求項３】
前記非接触ＩＣ制御部は、前記非接触ＩＣにアクセスして新たに確認した前記機能制限情報が、以前に確認してバッファに保存している前記機能制限情報と異なっているときのみ前記割込み信号と新たに確認した前記機能制限情報を出力するとともに、該新たに確認した前記機能制限情報で前記バッファの保存内容を更新する手段を有していることを特徴とする請求項１または２に記載の携帯無線端末。
【請求項４】
前記非接触ＩＣの使用状況をユーザに知らせる非接触ＩＣ使用状況報知手段を備えており、該非接触ＩＣ使用状況報知手段は前記非接触ＩＣ制御部により動作制御されていることを特徴とする請求項１〜３のいずれか１項に記載の携帯無線端末。
【請求項５】
前記非接触ＩＣ使用状況報知手段は、前記非接触ＩＣ制御部により点灯制御されるＬＥＤによって構成されていることを特徴とする請求項４に記載の携帯無線端末。
【発明の詳細な説明】
【技術分野】
【０００１】
本発明は、所定エリアにおいて携帯電話機等の携帯無線端末の機能を制限する技術に関し、特に、非接触ＩＣを備えた携帯無線端末による所定エリア入退場時における携帯無線端末の機能制限及びその解除を行う技術に関する。
【背景技術】
【０００２】
鉄道等の交通機関では、車内における通話を控えるよう呼びかけていることが多く、車内では携帯電話をマナーモードに設定、若しくは電源を切らなければならない。しかし、たいていのユーザは操作がわずらわしいことから設定の変更をしていない。そのため、携帯電話の使用を制限するエリア内に持ち込まれた携帯電話機に対して自動的に制限設定を行う方法が種々提案されている。
【０００３】
例えば特許文献１では、携帯電話を自動的にマナーモードへ設定する手段として、Bluetooth（登録商標）を用いる方法が提案されているが、この方法では、Bluetooth用信号発生装置を、マナーモードを設定する必要のある各所に配置しなければならず、また、Bluetooth信号を受信するために、携帯電話機内のBluetoothモジュールには常に電源供給をする必要があり、消費電力が増えて１回の充電による携帯電話機の使用時間が短くなってしまうという問題がある。
【０００４】
一方、最近の携帯電話機は非接触ＩＣを搭載していることが多く、コンビニ等の代金の支払いに非接触ＩＣを応用したシステムが普及しつつあり、また、鉄道機関等の改札にも携帯電話機に搭載された非接触ＩＣを利用したシステムが導入され始めている。そこで、例えば鉄道機関を利用するため改札処理を非接触ＩＣで行ったとき、同時に携帯電話をマナーモードに設定、若しくは電源を切った状態に自動的に設定することにより、鉄道を利用する際のユーザによる煩わしい設定変更を不要とし、かつ携帯電話の機能を制限するために新たにBluetooth等の特別な装置の設置を不要とする技術が特許文献２〜４等において提案されている。
【０００５】
図９は、このような非接触ＩＣを搭載して携帯電話機の機能制限を行う従来の携帯電話の構成例を示すブロック図である。
【０００６】
図９において、携帯電話機９００は、無線部、カメラ、ＬＣＤ等の表示部などの通常の携帯電話機が備えている各モジュール等周辺部９０４と、これら各部・各モジュール９０４の動作を制御するＣＰＵ９０１、ＣＰＵ９０１が各部・各モジュール９０４の動作を制御するための制御プログラムや各種情報を記憶する情報記憶部９０３、およびリードライト可能な非接触ＩＣ９０２を備えている。
【０００７】
非接触ＩＣ９０２は、鉄道機関の改札等に設置されている非接触ＩＣ用のリーダーライター９０５から機能制限情報を読み取ると、その情報を、非接触ＩＣ９０２内の記憶部に格納する。携帯電話機９００のＣＰＵ９０１は、非接触ＩＣ９０２に機能制限情報が格納されていることを確認すると、非接触ＩＣ９０２から機能制限情報を読み出し、その機能制限情報を元に各モジュール等周辺部９０４の中の上記機能制限情報により指定された機能を制限するための制御を実行する。
【０００８】
【特許文献１】特開２００４−０３２３９４号公報
【特許文献２】特開２００４−３４９９３５号公報
【特許文献３】特開２００４−３４９９９４号公報
【特許文献４】特開２００５−０１２３５４号公報
【発明の開示】
【発明が解決しようとする課題】
【０００９】
従来の非接触ＩＣを搭載した携帯電話機において、機能制限として携帯電話機の電源をＯＦＦ状態に設定する制御を行う方法の場合、携帯電話の電源がＯＦＦの状態でも非接触ＩＣから携帯電話機の機能制限情報を読む必要があるため、携帯電話機のＣＰＵや情報記憶部には電源を供給しておく必要がある。
【００１０】
即ち、非接触ＩＣを用いて携帯電話の電源をＯＮ・ＯＦＦ制御する場合、携帯電話の電源をＯＦＦにしてＣＰＵを休止状態にするとＣＰＵが非接触ＩＣにアクセス出来なくなり、非接触ＩＣへ情報を読みに行くことができなくなるので、ＯＦＦ中の携帯電話の電源を、非接触ＩＣからの制御情報を用いてＯＮすることはできないという課題がある。そのため携帯電話の電源をＯＮ・ＯＦＦ制御する場合には、携帯電話の電源をＯＦＦにしているときも、ＣＰＵに対しては常時電源を供給して動作状態にしておき、非接触ＩＣと常時アクセス可能にしておく必要がある。
【００１１】
しかし、携帯電話の電源をＯＦＦにして携帯電話の機能を停止している状態において、携帯電話機が備えている各種モジュールの全ての機能制御を行っているＣＰＵに対して常時動作電源を供給した状態とすることは、消費電流の観点からみると、無駄な電力消費となり、電源として二次電池が用いられている携帯電話機の１回の充電による使用可能時間が短縮されてしまうという問題がある。
【００１２】
本発明の目的は、上記問題点に鑑み、非接触ＩＣを利用した携帯電話の電源ＯＮ・ＯＦＦ制御を、消費電流を極力抑えた状態で自動的に行うことを可能にする手段を提供することにある。
【課題を解決するための手段】
【００１３】
本発明は、ＣＰＵにより制御される各種機能モジュールと、所定エリアの出入り口に設置されたリーダーライターとの間で近距離通信により入場または退場のための通信を行う非接触ＩＣを備えた携帯無線端末において、前記非接触ＩＣに定期的にアクセスし、前記非接触ＩＣが前記リーダーライターから受信して格納している情報の中に前記機能モジュールに対する新たな機能制限情報が含まれていることを確認したとき前記ＣＰＵに対して割込み信号及び前記機能制限情報を出力する非接触ＩＣ制御部を備え、前記ＣＰＵは、前記割り込み信号と当該携帯無線端末の電源をＯＦＦに設定する前記機能制限情報を受けたとき、前記各種機能モジュールへの供給電源をＯＦＦに制御した後、自ＣＰＵを前記割込み信号を受けつける機能を除いて休止状態に遷移させる手段と、該休止状態に遷移しているときに前記割り込み信号と当該携帯無線端末の電源ＯＦＦを解除する前記機能制限情報を受けたとき、自ＣＰＵを通常の動作状態に遷移させた後、前記各種機能モジュールへの供給電源をＯＮに制御する手段を有していることを特徴としている。
【００１４】
また前記ＣＰＵは、前記機能制限情報として機能制限を設定する情報を受けたとき、当該携帯無線端末の現在の前記各種機能モジュールの状態を情報記憶部へ保存する手段と、前記機能制限情報として機能制限を解除する情報を受けたとき、前記情報記憶部を参照して前記各種機能モジュールの状態を前記情報記憶部に保存されている状態に戻す制御を実行する手段を有している。
【００１５】
また前記非接触ＩＣ制御部は、前記非接触ＩＣから新たに読み取った前記機能制限情報が、バッファに保存されている以前に読み取った前記機能制限情報と異なっているときのみ前記割込み信号と新たに読み取った前記機能制限情報を出力するとともに、該新たに読み取った前記機能制限情報で前記バッファの保存内容を更新する手段を有している。
【００１６】
また、この携帯無線端末に備えられた非接触ＩＣの使用状況をユーザに知らせるためにＬＥＤ等の非接触ＩＣ使用状況報知手段を備え、この非接触ＩＣ使用状況報知手段の点灯動作等を前記非接触ＩＣ制御部により制御することにより、ＣＰＵが休止状態であってもユーザに非接触ＩＣの使用状況を確認可能な構成とすることもできる。
【発明の効果】
【００１７】
本発明では、非接触ＩＣによりリーダーライターから読み取られた機能制限情報を、非接触ＩＣ制御部を介して携帯無線端末の各種機能を制御するＣＰＵに出力しているので、当該携帯無線端末の電源をＯＦＦに設定する機能制限情報を受けたときに、ＣＰＵ自体も休止状態に遷移させることができるので、その分消費電力を低減でき１回の充電による使用可能時間を伸ばすことが可能となる。
【００１８】
また、非接触ＩＣ制御部は非接触ＩＣに対して間欠的に情報を確認する操作を行うだけであるのでそれに伴う消費電力は少なくて済み、さらに、確認の結果以前の機能制限情報から変化していなければＣＰＵに対して割り込み信号を発生しないので、この点でも電流消費が抑えられる。
【発明を実施するための最良の形態】
【００１９】
図１は、本発明の非接触ＩＣを備えた携帯電話機による所定エリア入退場システムが適用可能な鉄道機関の改札システムの例を示す概略図である。
【００２０】
本システムでは、ユーザが改札内へ入る前は、携帯電話機の電源はＯＮであり通常モードで動作している。ユーザが携帯電話機に備えられた非接触ＩＣを利用して改札内に入ったとき、非接触ＩＣが携帯電話機の電源ＯＦＦの指示を受信すると、携帯電話機は自動的に電源をＯＦＦにしてマナーモードへ移行する。ユーザが改札外へ出るとき、非接触ＩＣが携帯電話機の電源ＯＦＦ解除の指示を受信すると、再び携帯電話機は電源をＯＮにして通常モードへ移行する。
【００２１】
本システムの場合、携帯電話の機能を制限する情報は、改札手段としてすでに改札機器に搭載されている非接触ＩＣ用のリーダーライターから提供されるので、携帯電話の機能を制限するため新たに特別な装置を用意する必要は無く、また、非接触ＩＣは携帯電話の電源がＯＦＦ状態でもリーダーライターからの情報を書き込むことが出来るため、非接触ＩＣ制御部は間欠的に非接触ＩＣの情報を読みに行けばよい。
【００２２】
図２は、本発明の第１の実施形態を示す非接触ＩＣを搭載した携帯電話機のブロック構成図である。
【００２３】
本実施形態の非接触ＩＣを搭載した携帯電話機２００は、携帯電話機２００が備えている無線部、カメラ、ＬＣＤ等の表示部などの各部・各モジュールを制御するＣＰＵ２０１、リードライト可能な非接触ＩＣ２０２、非接触ＩＣ２０２を制御する非接触ＩＣ制御部２０３、ＣＰＵ２０１が各部・各モジュールを制御するための制御プログラムや各種情報を記憶する情報記憶部２０４、ＣＰＵ２０１によってその動作が制御される無線部、カメラ、ＬＣＤ等の表示部などの各モジュール等からなる周辺部２０５、タイマー部２０７、非接触ＩＣ制御部２０３からの割込み信号をＣＰＵ２０１へ出力する割込み制御部２０８を備えている。
【００２４】
非接触ＩＣ２０２は、この携帯電話機２００を所有しているユーザが鉄道機関の改札等を通過する際に、改札機器に設置されている非接触ＩＣ用のリーダーライター２０６との間で近距離無線通信を行わせるために、この携帯電話機２００をリーダーライター２０６に接近させたとき、リーダーライター２０６から機能制限情報も読み取って、非接触ＩＣ２０２内にその情報を格納する。
【００２５】
非接触ＩＣ制御部２０３は、タイマー部２０７からの割り込みにより定期的に非接触ＩＣ２０２へアクセスして情報が格納されているか確認し、非接触ＩＣ２０２に機能制限情報が格納されていることを確認すると、割込み制御部２０８へ割込み信号を出力する。ＣＰＵ２０１は割込み制御部２０８から割込み信号を受け取ると、非接触ＩＣ制御部２０３から機能制限情報を受け取る。
【００２６】
ＣＰＵ２０１は、非接触ＩＣ制御部２０３から受け取った機能制限情報を元に各モジュール等周辺部２０５の機能を制限する制御を実行するとともに、機能制限情報が携帯電話機２００の電源をＯＦＦにする情報のときには、各モジュール等周辺部２０５に供給されている電源をＯＦＦに制御するとともに、ＣＰＵ２０１自体を、外部から休止状態を解除する割り込み要求を受け付ける能力のみ保持した休止状態とすることによりＣＰＵ２０１による消費電流を限りなく抑えた状態に遷移する。
【００２７】
なお、非接触ＩＣ２０２、非接触ＩＣ制御部２０３、タイマー部２０７及び割り込み制御部２０８には電源制御情報に関係なく常時電源が供給されているが、非接触ＩＣ制御部２０３は非接触ＩＣ２０２に対して間欠的に情報を確認すればよいので、非接触ＩＣ制御部２０３、タイマー部２０７による電力消費は、携帯電話機２００全体の制御を行うＣＰＵ２０１に供給される電力と比較すれば非常に少ない電力消費で済む。
【００２８】
図３は、本実施形態における非接触ＩＣ用制御部２０３の構成ブロック図を示している。
【００２９】
非接触ＩＣ用制御部２０３は、タイマー部２０７からの割り込み入力を受けて間欠的に非接触ＩＣ２０２にアクセスする。タイマー部２０７による割り込みのタイミング間隔はユーザが改札などにタッチをする時間中に１回は読み取り動作が行われるくらいの間隔に設定される。
【００３０】
非接触ＩＣ用制御部２０３の割り込みＩＦ３０４がタイマー部２０７からの割り込みを受けると、制御ブロック３０１が非接触側ＩＣ用ＩＦ３０２を介して非接触ＩＣ２０２へアクセスして非接触ＩＣ２０２から情報を読み出すとともに、読み出した情報をバッファ３０５に格納する。そして制御ブロック３０１は読み出した情報の中に新たな機能制限情報が格納されている場合、割り込み制御部２０８へ割り込み信号を出力するとともに、ＣＰＵ側ＩＦ３０３を介してＣＰＵ２０１へ読み出した情報を送る。
【００３１】
ＣＰＵ２０１は、非接触ＩＣ用制御部２０３から受け取った機能制限情報が、電源ＯＦＦの機能制限情報であるときには、携帯電話の各モジュール等周辺部２０５への供給電源をＯＦＦ状態に切替制御するとともに、ＣＰＵ２０１自体は消費電流を限りなく抑えた休止状態に遷移する。この状態のときに、非接触ＩＣ用制御部２０３が非接触ＩＣ２０２に格納された携帯電話の電源をＯＮに戻すための情報を読み出したとき、ＣＰＵ２０１は割り込み制御部２０８からの割込み信号を受け取ることにより休止状態を解除して通常の動作状態に遷移する。
【００３２】
その後、ＣＰＵ側ＩＦ３０３を介して取得した携帯電話の電源をＯＮに戻すための情報により、各モジュール等周辺部２０５への供給電源をＯＮに制御する。従って、携帯電話の電源がＯＦＦ状態に設定されてＣＰＵ２０１による消費電流が限りなく抑えられた状態に遷移してＣＰＵ２０１が非接触ＩＣ２０２にアクセスできない状態であっても、リーダーライター２０６からの機能制限解除情報により携帯電話の電源を自動的にＯＮにすることが可能となる。
【００３３】
図４は、鉄道機関の改札等に設置されている非接触ＩＣ用のリーダーライターから送られてくる機能制限情報の一例を示しており、３２ｂｉｔのデータで構成されていて、上位１６ｂｉｔは機能制限情報であることを表すヘッダであり、下位１６ｂｉｔは各ｂｉｔの“０”、“１”にて機能の制限、解除を制御するための情報を示すために用いられる。
【００３４】
先頭のＢｉｔ１５は、機能制限情報の有無を示しており、自動的に機能を制限する必要のない場合は“０”に設定され、機能制限の必要がある場合は“１”に設定される。Ｂｉｔ１４は、機能制限の設定又は解除を示しており、自動的に機能を制限する場合は“１”に設定し、既に設定された機能制限を解除して元の状態に戻す場合には“０”を設定する。またＢｉｔ１３〜Ｂｉｔ０により、各機能の制限をする、しないの設定をすることが出来る。例えばマナーモードに移行させる場合はＢｉｔ７を“１”に設定し、携帯電話の電源をＯＦＦに移行させる場合はＢｉｔ０を“１”に設定する。
【００３５】
図５は、本実施形態における非接触ＩＣ制御部２０３の動作を示すフローチャートであり、図６は、本実施形態におけるＣＰＵ２０１の動作を示すフローチャートである。以下、図２〜図６を参照して、本実施形態の動作について説明する。
【００３６】
非接触ＩＣ制御部２０３は、非接触ＩＣ２０２がリーダーライター２０６との近距離通信で取得して格納している情報を、タイマー部２０７からの割り込みを受ける毎に読み取り（Ｓ５０１）、次に、読み取ったデータの中に、図４に示す携帯電話機の機能制限情報があり、かつ機能制限が有効になっているかをＢｉｔ１５により調べる（Ｓ５０２）。機能制限情報がないか、あるいは機能制限が有効になっていない場合（Ｓ５０２，ＮＯ）には処理を終了する。
【００３７】
携帯電話機の機能制限情報があり、かつ機能制限が有効になっている場合（Ｓ５０２，ＹＥＳ）には、次に、この機能制限情報の内容をバッファ３０５に記憶されている以前の内容と比較し、同じであるか否かを調べる（Ｓ５０３）。読み取った機能制限情報の内容がバッファ３０５に記憶されている以前の内容と一致している場合（Ｓ５０３，ＹＥＳ）には処理を終了する。
【００３８】
読み取った機能制限情報の内容がバッファ３０５に記憶されている以前の内容と異なっている場合（Ｓ５０３，ＮＯ）には、まず、読み取った機能制限情報の内容でバッファ３０５の記憶内容を更新する（Ｓ５０４）とともに、割り込みＩＦ３０４を介して割込み制御部２０８へ割込み信号を出力し（Ｓ５０５）、次に、読み取った機能制限情報を、ＣＰＵ側ＩＦ３０３を介してＣＰＵ２０１へ出力する（Ｓ５０６）。
【００３９】
一方、ＣＰＵ２０１は、非接触ＩＣ制御部２０３からの割込み信号が割込み制御部２０８を介して入力される（Ｓ６０１）と、非接触ＩＣ制御部２０３から出力される機能制限情報の入力待ち状態となるが、その際、自ＣＰＵ２０１が休止状態となっている場合（Ｓ６０２，ＹＥＳ）には、休止状態を解除（Ｓ６０３）して通常動作状態に移行した後に、非接触ＩＣ制御部２０３から機能制限情報を入力する（Ｓ６０４）。
【００４０】
次にＣＰＵ２０１は、入力された機能制限情報が、機能制限の設定か解除かをＢｉｔ１４により調べる（Ｓ６０５）。機能制限の設定の場合（Ｓ６０５，ＹＥＳ）には、ＣＰＵ２０１は、先ず、現在の携帯電話の機能設定状態（機能制限前の状態）を情報記憶部２０４へ保存し（Ｓ６０６）、その後、入力された機能制限情報の通りに携帯電話の機能制限状態を変更制御する（Ｓ６０７）。
【００４１】
その際、機能制限情報が携帯電話の電源をＯＦＦに設定する情報である場合には、ＣＰＵ２０１は、各モジュール等周辺部２０５への供給電源をＯＦＦにする制御を実行するとともに、ＣＰＵ２０１および情報記憶部２０５を、割り込み要求を受け付ける能力のみを保持した休止状態に遷移する制御を実行することにより、ＣＰＵ２０１および情報記憶部２０５の消費電流を限りなく抑えた状態に設定する。
【００４２】
入力された機能制限情報が機能制限の解除の場合（Ｓ６０５，ＮＯ）には、ＣＰＵ２０１は情報記憶部２０４に保存しておいた携帯電話の情報（機能制限前の状態）を読み出し（Ｓ６０８）、該読み出した情報により携帯電話の各種機能を設定制御することによって、携帯電話の状態を以前の状態に戻す（Ｓ６０９）。
【００４３】
例えば、非接触ＩＣ制御部２０３からの機能制限情報が入力されるより以前に、カメラ機能をＯＦＦ、あるいはマナーモード等の機能制限がユーザによって手動で設定されているような場合、機能制限の解除情報によってこれらの設定まで解除してしまうことはユーザの意に反する動作となるため、ユーザにより設定された機能制限は残しておく必要がある。
【００４４】
そのため、ステップ６０６で、ユーザが以前から設定している機能制限情報は情報記憶部２０４に保存しておき、非接触ＩＣ制御部２０３からの機能制限情報が機能制限解除の場合、ステップ６０８で情報記憶部２０４から読み出した機能制限については、非接触ＩＣ制御部２０３からの機能制限解除情報に関係なく継続して機能制限を設定する（Ｓ６０９）ようにしている。
【００４５】
図７は、本発明の第２の実施形態を示す非接触ＩＣを搭載した携帯電話機のブロック構成図である。本実施形態では、非接触ＩＣ制御部を用いて、携帯電話機の周辺モジュールの一部を制御可能な構成としている。
【００４６】
図７において、携帯電話機７００が備えている無線部、カメラ、ＬＣＤ等の表示部などの各部・各モジュールを制御するＣＰＵ７０１、リードライト可能な非接触ＩＣ７０２、非接触ＩＣ７０２を制御する非接触ＩＣ制御部７０３、各種情報を記憶する情報記憶部７０４、無線部、カメラ、ＬＣＤ等の表示部などの各モジュール等からなる周辺部７０５、タイマー部７０７、非接触ＩＣ制御部７０３からの割込み信号をＣＰＵ７０１へ出力する割込み制御部７０８を備えている点では、第１の実施形態と同様であるが、本実施形態では、非接触ＩＣ制御部７０３により制御されるＬＥＤ７０９が設けられている。
【００４７】
このＬＥＤ７０９は非接触ＩＣの使用状況を知らせる機能を有しており、リーダーライター７０６と非接触ＩＣ７０２が通信を開始すると、非接触ＩＣ７０２にアクセスしている非接触ＩＣ用制御部７０３が感知してＬＥＤ７０９を点灯させる。従って、ＣＰＵ７０１を介さずにＬＥＤ７０９の発光を制御できるため、ＣＰＵ７０１が休止状態であってもユーザに非接触ＩＣ７０２の使用状況を確認させることが出来る。
【００４８】
図８は、第２の実施形態における非接触ＩＣ用制御部７０３の構成ブロック図を示している。
【００４９】
制御ブロック８０１は、非接触ＩＣ７０２が外部から情報を受け取ったことを認識すると、ＩＯ８０６を経由してＬＥＤ７０９に対して電流を出力する。こうすることによって、携帯電話自体の電源がＯＦＦであっても、非接触ＩＣ７０２が使用された際には、ＬＥＤ７０９を点灯させることが可能になる。また、ＬＥＤの代わりに音により非接触ＩＣ７０２の使用状況を確認させるためのスピーカを備える構成としてもよい。本実施形態のその他の動作は、第１の実施形態と同様であるので、ここではその動作説明は省略する。
【００５０】
なお、上記実施形態では鉄道機関の改札システムの例を用いて説明したが、本発明はこの実施例に限定されるものではなく、携帯電話の機能を制限する必要のある航空機内、劇場、コンサートホール等のエリアへの入退場のようなケースに対しても適用可能である。
【００５１】
また上記実施形態では、ＣＰＵは、入力された機能制限情報が機能制限の設定の場合には、入力された機能制限情報の通りに携帯電話の機能制限状態を変更制御するが、強制的な設定変更は、緊急な連絡を必要とするユーザが不便を感じることも考えられるため、自動的に設定を変更する機能自体をユーザがＯＮ・ＯＦＦできるようにすることもできる。
【図面の簡単な説明】
【００５２】
【図１】本発明の非接触ＩＣを備えた携帯電話機による所定エリア入退場システムが適用可能な鉄道機関の改札システムの例を示す概略図である。
【図２】本発明の第１の実施形態を示す非接触ＩＣを搭載した携帯電話機のブロック構成図である。
【図３】本実施形態における非接触ＩＣ用制御部の構成ブロック図である。
【図４】鉄道機関の改札等に設置されている非接触ＩＣ用のリーダーライターから送られてくる機能制限情報の一例を示すフォーマットである。
【図５】本実施形態の動作を示すフローチャートである。
【図６】本実施形態の動作を示すフローチャートである。
【図７】本発明の第２の実施形態を示す非接触ＩＣを搭載した携帯電話機のブロック構成図である。
【図８】第２の実施形態における非接触ＩＣ用制御部の構成ブロック図である。
【図９】非接触ＩＣを搭載した従来の携帯電話の構成例を示すブロック図である。
【符号の説明】
【００５３】
２００，７００，９００  携帯電話機
２０１，７０１，９０１  ＣＰＵ
２０２，７０２，９０２  非接触ＩＣ
２０３，７０３  非接触ＩＣ制御部
２０４，７０４，９０３  情報記憶部
２０５，７０５，９０４  各モジュール等周辺部
２０６，７０６，９０５  リーダーライター
２０７，７０７  タイマー部
２０８，７０８  割り込み制御部
３０１，８０１  制御ブロック
３０２，８０２  非接触ＩＣ側ＩＦ
３０３，８０３  ＣＰＵ側ＩＦ
３０４，８０４  割り込み側ＩＦ
３０５，８０５  バッファ
７０９  ＬＥＤ
８０６  ＩＯ
【図１】
2007336295.tif 000003
【図２】
2007336295.tif 000004
【図３】
2007336295.tif 000005
【図４】
2007336295.tif 000006
【図５】
2007336295.tif 000007
【図６】
2007336295.tif 000008
【図７】
2007336295.tif 000009
【図８】
2007336295.tif 000010
【図９】
2007336295.tif 000011